(57)【要約】【課題】ネットワークから受信したストリームを外部機器にリアルタイムに伝送して記録し、同時に該ストリームを表示装置等によりリアルタイムに再生する。【解決手段】  再生制御部１０２は、タイムスタンプ付ストリームＴＴＳをネットワークを介して受信する。ＴＴＳ処理部１０５は、ＴＴＳ内のパケット群の各々に付加されたタイムスタンプに基づいて、該ＴＴＳからリアルタイムストリームＴＳを生成する。デコード部１０８はＴＴＳをデコードし、映像データ及び音声データをリアルタイムで出力する。デマルチプレクサ１０６は、再生制御部１０２から提供されるＴＴＳを一時的に記録するバッファ１０５ａを有し、該バッファに記録されたＴＴＳを前記ＴＴＳ処理部１０５に提供すると共に、デコード部１０８に提供する。【選択図】      図１
2006246245.tif 000002
【特許請求の範囲】
【請求項１】
圧縮符号化されたデータを含むストリームであって、各々にタイムスタンプが付加されたパケット群から構成されるタイムスタンプ付ストリームをネットワークを介して受信し、該タイムスタンプ付ストリームを提供する受信手段と、
前記タイムスタンプ付ストリーム内のパケット群の各々に付加されたタイムスタンプに基づいて、該タイムスタンプ付ストリームから、リアルタイムストリームを生成するリアルタイムストリーム生成手段と、
前記タイムスタンプ付ストリームをデコードし、映像データ及び音声データをリアルタイムで出力するデコーダと、
前記受信手段から提供される前記タイムスタンプ付ストリームを一時的に記録するバッファを有し、該バッファに記録された前記タイムスタンプ付ストリームを、前記リアルタイムストリーム生成手段に提供すると共に、前記デコーダに提供するデマルチプレクサと、
を具備することを特徴とする信号処理装置。
【請求項２】
デジタル放送を受信し、選択された放送番組のリアルタイムストリームを提供する放送受信部と、
前記放送受信部から提供される前記リアルタイムストリームを入力する第１入力ポートと、前記受信手段から提供される前記タイムスタンプ付ストリームを入力する第２入力ポートと、前記第１及び第２入力ポートにて入力された前記リアルタイムストリーム及び前記タイムスタンプ付ストリームのうち、選択された一方のストリームを前記デマルチプレクサに出力する出力ポートとを有するセレクタと、
を更に具備することを特徴とする請求項１記載の信号所処理装置。
【請求項３】
前記リアルタイムストリーム生成手段により生成されたリアルタイムストリームを外部機器へ転送し、該外部機器からリアルタイムストリームを受信するリアルタイムストリームインターフェース手段を更に具備することを特徴とする請求項１記載の信号処理装置。
【請求項４】
リアルタイムストリーム生成手段により生成されたリアルタイムストリームを外部機器へ転送し、該外部機器から第２リアルタイムストリームを受信するリアルタイムストリームインターフェース手段を更に具備し、
前記セレクタは前記リアルタイムストリームインターフェース手段から提供される前記外部機器からの第２リアルタイムストリームを入力する第３入力ポート、及び前記第１及び第３入力ポートのうち選択された入力ポートに入力されたリアルタイムストリームを出力する第２出力ポートを具備し、
前記セレクタの第２出力ポートから出力される前記リアルタイムストリームに含まれるパケット群の各々に、タイムスタンプを付加するタイムスタンプ付加手段と、
前記タイムスタンプ付加手段によってタイムスタンプが付加されたパケット群を、前記ネットワークを介して外部に伝送する手段とを更に具備することを特徴とする請求項２記載の信号処理装置。
【請求項５】
圧縮符号化されたデータを含むストリームであって、各々にタイムスタンプが付加されたパケット群から構成されるタイムスタンプ付ストリームの形式で、ネットワーク上の記録メディアに記録されたコンテンツを該ネットワークを介して受信し、該タイムスタンプ付ストリームを提供するネットワークインターフェース手段と、
前記ネットワークインターフェース手段を用いて、前記ネットワーク上の記録メディアに記録された１つのコンテンツを、前記ネットワークにおける２つの通信チャンネルを介して読出し、該コンテンツを第１及び第２出力部から前記タイムスタンプ付ストリームとして、それぞれ提供する読出し制御手段と、
前記読出し制御手段から提供される前記コンテンツのタイムスタンプ付ストリームを前記第１出力部から受信し、受信した該ストリーム内のパケット群の各々に付加されたタイムスタンプに基づいて、該タイムスタンプ付ストリームから、リアルタイムストリームを生成するリアルタイムストリーム生成手段と、
前記読出し制御手段から提供される前記コンテンツのタイムスタンプ付ストリームを前記第２出力部から受信し、受信した該ストリームをデコードし、映像データ及び音声データをリアルタイムで出力するデコーダと、
を具備することを特徴とする信号処理装置。
【請求項６】
デジタル放送を受信し、選択された放送番組のリアルタイムストリームを提供する放送受信部と、
前記放送受信部から提供される前記リアルタイムストリームを入力する第１入力ポートと、前記読出し手段の第１及び第２出力ポートから提供される前記タイムスタンプ付ストリームをそれぞれ入力する第２及び第３入力ポートと、前記第１〜第３入力ポートのうち、選択された入力ポートに入力されたストリームを前記リアルタイムストリーム生成手段に出力する第１出力ポートと、前記第１〜第３入力ポートのうち、選択された入力ポートに入力されたストリームを前記デコーダに出力する第２出力ポートとを具備するセレクタと、
を更に具備することを特徴とする請求項５記載の信号所処理装置。
【請求項７】
前記リアルタイムストリーム生成手段により生成されたリアルタイムストリームを外部機器へ転送し、該外部機器からリアルタイムストリームを受信するリアルタイムストリームインターフェース手段を更に具備することを特徴とする請求項５記載の信号処理装置。
【請求項８】
前記リアルタイムストリーム生成手段により生成されたリアルタイムストリームを外部機器へ転送し、該外部機器から第２リアルタイムストリームを受信するリアルタイムストリームインターフェース手段を更に具備し、
前記セレクタは前記リアルタイムストリームインターフェース手段から提供される、前記外部機器からの前記第２リアルタイムストリームを入力する第４入力ポート、及び前記第１及び第４入力ポートのうち選択された入力ポートに入力されたリアルタイムストリームを出力する第３出力ポートを有し、
前記セレクタの第３出力ポートから出力される前記リアルタイムストリームに含まれるパケット群の各々にタイムスタンプを付加し、前記ネットワークインターフェース手段を用いて前記ネットワーク上の記録メディアに転送するタイムスタンプ付加手段とを更に具備することを特徴とする請求項６記載の信号処理装置。
【請求項９】
圧縮符号化されたデータを含むストリームであって、各々にタイムスタンプが付加されたパケット群から構成されるタイムスタンプ付ストリームをネットワークを介して受信し、該タイムスタンプ付ストリームを提供するステップと、
前記タイムスタンプ付ストリームをバッファに一時的に記録するステップと、
前記バッファに記録された前記タイムスタンプ付ストリームを読出し、該タイムスタンプ付ストリーム内のパケット群の各々に付加されたタイムスタンプに基づいて、該タイムスタンプ付ストリームから、リアルタイムストリームを生成するステップと、
前記バッファに記録された前記タイムスタンプ付ストリームを読出し、該タイムスタンプ付ストリームをデコードし、映像データ及び音声データをリアルタイムで出力するステップと、
を具備することを特徴とするストリーム処理方法。
【発明の詳細な説明】
【技術分野】
【０００１】
本発明は、デジタル放送受信器のような信号処理装置及び同装置で用いられるストリーム処理方法に関する。
【背景技術】
【０００２】
近年、デジタル圧縮符号化されたオーディオ・ビデオデータのようなデータストリームをリアルタイムに伝送するためのリアルタイム伝送システムが開発されている。リアルタイム伝送システムにおいては、データストリームの伝送は、トランスポートストリームを用いて実行される。トランスポートストリームは、トランスポートストリームパケット群から構成されている。
【０００３】
また、最近では、各々に時刻情報が付加されたパケット群を伝送するシステムも開発されている。例えば、特許文献１には、カウンタのカウント値が付加された送信データを伝送するデータ伝送装置が開示されている。
【０００４】
地上波デジタル放送のようなデジタル放送においても、放送番組データは上述のトランスポートストリームから構成されている。
【０００５】
デジタル放送受信器においては、放送信号はチューナによって受信及び復調され、これによってトランスポートストリームが放送信号から抽出される。トランスポートストリームを構成するトランスストリームパケット群はリアルタイムにデジタル放送受信器内のデコーダに送られ、そこでデコードされる。通常、デコーダは、個々のパケットの受信タイミングに応じてそのデコード動作速度が規定されるように設計されている。トランスポートストリームパケット群の各パケットはその再生タイミングに対応するタイミングでリアルタイムにデコーダに送られるので、デコーダは、トランスポートストリームを正常にデコード及び再生することができる。
【０００６】
ところで、最近では、複数の家電機器同士を相互に接続可能なホームネットワークシステムの実現が望まれている。ホームネットワークシステムで使用されるデジタル放送受信器においては、放送番組データのようにリアルタイムに伝送されるトランスポートストリームのみならず、蓄積メディアからネットワークを介して任意の速度で転送されるトランスポートストリームをデコード及び再生する機能も必要とされる。
【特許文献１】特開２０００−３４１２３４公報
【発明の開示】
【発明が解決しようとする課題】
【０００７】
しかし、蓄積メディアから読み出されるトランスポートストリームは、そのトランスポートストリームの本来の伝送レートよりも高速にデジタル放送受信器に伝送される。このため、蓄積メディアからネットワークを介して伝送されるトランスポートストリームをそのままデコーダに入力すると、そのトランスポートストリームが異常に早い速度で再生されてしまうなどの不具合が発生する。よって、デコード対象のストリームの種類（リアルタイムストリーム／非リアルタイムストリーム）に応じて、デコーダの動作制御方法を切り替えるという特殊なデコード制御を実行することが必要となる。
【０００８】
また、ホームネットワークシステムで使用されるデジタル放送受信器においては、ネットワークを介して受信したトランスポートストリームを例えばＩＥＥＥ１３９４規格のデジタルＶＣＲ(Video Cassette Recorder)のような外部機器に記録する機能も要求されている。この場合、外部機器に対してはトランスポートストリームをリアルタイムに伝送することが必要となる。
【０００９】
更に、外部機器にデータを記録する時に、記録データの確認等のために、記録されている映像を表示することが望まれる。
【００１０】
本発明は上述の事情を考慮してなされたものであり、 ネットワークから受信したストリームを外部機器にリアルタイムに伝送して記録し、同時に該ストリームを表示装置等により再生できる信号処理装置及びストリーム処理方法を提供することを目的とする。
【課題を解決するための手段】
【００１１】
上述の課題を解決するため、本発明の信号処理装置は、圧縮符号化されたデータを含むストリームであって、各々にタイムスタンプが付加されたパケット群から構成されるタイムスタンプ付ストリームをネットワークを介して受信し、該タイムスタンプ付ストリームを提供する受信手段と、前記タイムスタンプ付ストリーム内のパケット群の各々に付加されたタイムスタンプに基づいて、該タイムスタンプ付ストリームから、リアルタイムストリームを生成するリアルタイムストリーム生成手段と、前記タイムスタンプ付ストリームをデコードし、映像データ及び音声データをリアルタイムで出力するデコーダと、前記受信手段から提供される前記タイムスタンプ付ストリームを一時的に記録するバッファを有し、該バッファに記録された前記タイムスタンプ付ストリームを、前記リアルタイムストリーム生成手段に提供すると共に、前記デコーダに提供するデマルチプレクサとを具備する。
【発明の効果】
【００１２】
本発明によれば、ネットワークから受信したストリームを外部機器にリアルタイムに伝送して記録し、同時に該ストリームを表示装置等により再生できる信号処理装置及びストリーム処理方法を提供することが可能となる。
【発明を実施するための最良の形態】
【００１３】
以下、図面を参照して本発明の実施形態を説明する。
【００１４】
図１は本発明の一実施形態に係る信号処理装置の構成が示すブロック図である。この信号処理装置は、デジタル放送信号を受信するデジタル放送受信装置として実現されている。
【００１５】
このデジタル放送受信装置１は、家庭内のＬＡＮ(Local Area Network)のようなネットワーク３に接続する機能を有している。また、デジタル信号処理装置１は、ＩＥＥＥ１３９４規格の外部機器との通信を実行することもできる。
【００１６】
ネットワーク３には、サーバコンピュータ２が接続されている。このサーバコンピュータ２の蓄積メディア２１には、オーディオ・ビデオ（ＡＶ）コンテンツが蓄積されている。デジタル放送受信装置１は、蓄積メディア２１に格納されているＡＶコンテンツをネットワーク３を介して受信し、その受信したＡＶコンテンツをデコード及び再生することができる。
【００１７】
デジタル放送受信装置１は、図示のように、地上波デジタルチューナ１１、ＢＳ／ＣＳ(Broadcasting Satellite/Communication Satellite)チューナ１２、信号処理部１３、及びＩＥＥＥ１３９４インターフェース部１４等から構成されている。
【００１８】
地上波デジタルチューナ１１は、地上波デジタル放送の放送番組データを受信する放送受信部である。地上波デジタル放送の放送番組データはトランスポートストリーム（ＴＳ）から構成されている。ＴＳを構成するトランスポートストリームパケット（ＴＳパケット）群は、デジタル放送信号によって放送局からリアルタイムに伝送される。地上波デジタルチューナ１１は、デジタル放送信号を受信し、そのデジタル放送信号から、あるチャンネルの放送番組データに対応するＴＳを取り出す。ＴＳは圧縮符号化された放送番組データを含む。このＴＳはリアルタイムストリームである。ＴＳを構成するＴＳパケット群は、放送局から送信されるタイミングと同じタイミングで、地上波デジタルチューナ１１から信号処理部１３にリアルタイムに送られる。
【００１９】
ＢＳ／ＣＳチューナ１２は、ＢＳ／ＣＳ放送の放送番組データを受信する放送受信部である。ＢＳ／ＣＳ放送の放送番組データも地上波デジタル放送と同様にＴＳから構成されている。このＴＳを構成するトランスポートストリームパケット（ＴＳパケット）群は、デジタル放送信号によって放送局からリアルタイムに伝送される。ＢＳ／ＣＳチューナ１２はデジタル放送信号を受信し、そのデジタル放送信号から、所望チャンネルの放送番組データに対応するＴＳを取り出す。ＴＳは圧縮符号化された放送番組データを含む。このＴＳはリアルタイムストリームである。ＴＳを構成するＴＳパケット群は、放送局から送信されるタイミングと同じタイミングで、ＢＳ／ＣＳチューナ１２から信号処理部１３にリアルタイムに送られる。
【００２０】
ＩＥＥＥ１３９４インターフェース部１４は、ＩＥＥＥ１３９４シリアルバスを介してＩＥＥＥ１３９４対応の外部機器（例えばデジタルＶＣＲ）との通信を実行する通信制御装置である。このＩＥＥＥ１３９４インターフェース部１４は、外部機器からリアルタイムに送信される、ＡＶコンテンツのＴＳを受信する機能を有している。また、ＩＥＥＥ１３９４インターフェース部１４は、信号処理部１３からリアルタイムに転送されるＴＳを、ＩＥＥＥ１３９４シリアルバスを介して外部機器にリアルタイムに送出する機能を有している。
【００２１】
信号処理部１３はＴＳを処理するためのＬＳＩである。この信号処理部１３は、サーバコンピュータ２の蓄積メディア２１から転送されるＡＶコンテンツを受信する機能を有している。蓄積メディア２１に格納されたＡＶコンテンツのストリームは、タイムスタンプ付トランスポートストリーム(TTS: Time Stamped Transport Stream)であって、実際の再生速度に対応する本来の伝送レートとは関係なく、蓄積メディア１３から任意の速度で読み出し可能な非リアルタイムストリームである。信号処理部１３からの要求を受けた場合、蓄積メディア２１に格納されたＡＶコンテンツのＴＴＳは、そのＡＶコンテンツの本来の伝送レートよりも高速にネットワーク３を介してデジタル放送受信装置１に伝送される。
【００２２】
ＴＴＳはＴＴＳパケット群から構成されている。各ＴＴＳパケットは、タイムスタンプが付加されたＴＳパケットである。サーバコンピュータ２は、デジタル放送受信装置１からの要求に応答して、蓄積メディア２１からＴＴＳを読み出し、そしてそのＴＴＳをデジタル放送受信装置１に伝送する。
【００２３】
ＴＴＳパケットの構造を図２に示す。ＴＴＳパケットは、１８８バイトのＴＳパケットと、そのＴＳパケットの先頭に付加された４バイトのタイムスタンプ（時間情報）とから構成されている。各ＴＳパケットに付加されたタイムスタンプは、該ＴＳパケットのデコーダへの相対的な入力時刻を示す時間情報として使用される。
【００２４】
信号処理部１３は、ネットワークインターフェース部１０１、再生制御部１０２、記録制御部１０３、入力制御部（セレクタ）１０４、ＴＴＳ処理部１０５、デマルチプレクサ（Ｄｅｍｕｘ）１０６、デコード用処理部１０７及びデコード部１０８等から構成されている。
【００２５】
ネットワークインターフェース部１０１は、デジタル放送受信装置１に設けられたＬＡＮポート等を介してネットワーク３に接続されている。ネットワークインターフェース部１０１は、ネットワーク３を介してサーバコンピュータ２との通信を実行する通信制御装置である。
【００２６】
再生制御部１０２は、ネットワークインターフェース部１０１を介してサーバコンピュータ２と通信し、記録メディア２１に記録されたＡＶコンテンツの再生（ここでは読出し）を制御する。ネットワーク３を介してサーバコンピュータ２から伝送されるＡＶコンテンツのＴＴＳは、ネットワークインターフェース部１０１によって受信され、再生制御部１０２を介して入力制御部（セレクタ）１０４に供給される。
【００２７】
セレクタ１０４は、リアルタイムストリームをそれぞれ入力するための入力ポート群ＩＮ１〜ＩＮ３及びＴＴＳを入力するための入力ポートＩＮ４と、リアルタイムストリームを出力するための出力ポートＯＵＴ１、及びリアルタイムストリームまたはＴＴＳを出力するための出力ポートＯＵＴ２とを備えている。
【００２８】
セレクタ１０４の入力ポートＩＮ１、ＩＮ２は、信号処理部１３の入力端子１１１、１１２にそれぞれ接続されている。地上波デジタルチューナ１１によって受信されたＴＳは入力端子１１１を介してセレクタ１０４の入力ポートＩＮ１に入力される。また、ＢＳ／ＣＳチューナ１２によって受信されたＴＳは入力端子１１２を介してセレクタ１０４の入力ポートＩＮ２に入力される。ＩＥＥＥ１３９４インターフェース部１４によって受信される外部機器からのＴＳは、入力端子１１３を介してセレクタ１０４の入力ポートＩＮ３に入力される。
【００２９】
セレクタ１０４は、入力ポートＩＮ１〜ＩＮ３のそれぞれに入力されるＴＳの中から蓄積メディア２１に記録すべきＴＳを選択し、その選択したＴＳを出力ポートＯＵＴ１から出力する。出力ポートＯＵＴ１から出力されるＴＳは、記録制御部１０３に送られる。
【００３０】
またセレクタ１０４は、入力ポートＩＮ１〜ＩＮ４のそれぞれに入力されるＴＳまたはＴＴＳの中から再生または記録対象のストリームを選択し、その選択したストリームを出力ポートＯＵＴ２から出力する。出力ポートＯＵＴ２から出力されるストリームは、デマルチプレクサ（Ｄｅｍｕｘ）１０６に送られる。
【００３１】
記録制御部１０３は、入力されたＴＳに含まれるＴＳパケット群の各々にタイムスタンプを付加することにより、入力されたＴＳからＴＴＳを生成する。このＴＴＳは、ネットワークインターフェース部１０１を介して、ネットワーク３上のサーバコンピュータ２に伝送される。
【００３２】
デマルチプレクサ（Ｄｅｍｕｘ）１０６は、セレクタ１０４から入力されるストリーム（ＴＳまたはＴＴＳ）をデコード用処理部１０７、ＴＴＳ処理部１０５に提供する。
【００３３】
セレクタ１０４から入力されるストリームがＴＴＳであって、該ＴＴＳを再生する場合、デマルチプレクサ１０６はＴＴＳのパケットをバッファ１０６ａに一時的に記録しながら、デコード用処理部１０７からの要求に応じて、記録したパケットをデコード用処理部１０７に転送する。
【００３４】
またセレクタ１０４から入力されるストリームがＴＴＳであって、該ＴＴＳを外部機器に記録する場合、デマルチプレクサ１０６はＴＴＳのパケットをバッファ１０６ａに一時的に記録しながら、上記したようにデコード用処理部１０７に供給すると共に、ＴＴＳ処理部１０５からの要求に応じて、記録したパケットをＴＴＳ処理部１０５に転送する。デマルチプレクサ１０６のバッファ１０６ａは、ネットワーク３から受信されるＴＴＳの転送レートと、ＴＴＳ処理部１０５ａ及びデコード用処理部１０７の処理レートの違いを吸収するために設けられている。
【００３５】
また、セレクタ１０４から入力されるストリームがＴＳであって、該ＴＳを再生する場合、デマルチプレクサ１０６はＴＳのパケットをそのままデコード用処理部１０７に転送する。またセレクタ１０４から入力されるストリームがＴＳであって、該ＴＳを外部機器に記録する場合、デマルチプレクサ１０６はＴＳのパケットをそのままデコード用処理部１０７及びＴＴＳ処理部１０５に転送する。
【００３６】
ＴＴＳ処理部１０５は、入力されたストリームがＴＴＳの場合、該ＴＴＳ内の各ＴＴＳパケットのタイムスタンプに基づいて、該ＴＴＳからリアルタイムストリーム（ＴＳ）を生成する。すなわち、ＴＴＳ処理部１０５は、受信した各ＴＴＳパケットのタイムスタンプに従って、各ＴＴＳパケット内のＴＳパケットの送出タイミングを調整する。これにより、ＴＳパケット群がリアルタイムにＴＴＳ処理部１０５の出力ポートから出力される。ＴＴＳ処理部１０５から提供されるＴＳは、出力端子１１５を介してＩＥＥＥ１３９４インターフェース部１４に送られる。尚、入力されるストリームがＴＳの場合、ＴＴＳ処理部１０５は該ＴＳをそのままＩＥＥＥ１３９４インターフェース１４に出力する。
【００３７】
デコード用処理部１０７は、デマルチプレクサ１０６から入力されるＴＳ又はＴＴＳをビデオデータストリームとオーディオデータストリームとに分離する処理を実行する。この分離処理は、例えばパケット単位で実行される。また入力されるＴＳ又はＴＴＳに複数の放送番組が多重化されている場合、デコード用処理部１０７は、再生又は記録対象の放送番組に対応するパケット群を入力ストリームから抽出する処理も実行する。
【００３８】
デコード部１０８は、ビデオデコーダ及びオーディオデコーダ（共に図示されず）を有し、デコード用処理部１０７から入力されたビデオデータストリーム及びオーディオデータストリームをそれぞれデコードする。このデコード部１０８は、個々のパケット（ＴＳまたはＴＴＳパケット）を、デコード部１０８が有するクロックカウンタの値に基づいてデコードする。このデコード処理はパケットに付加されているタイムスタンプとは無関係なタイミングで行われる。デコード部１０８にてデコードされたビデオデータ及びオーディオデータはＤ／Ａ変換及び増幅などされた後、表示部及びスピーカへそれぞれ出力される。
【００３９】
このデジタル放送受信装置１においては、ネットワーク３から再生処理部１０２に伝送されたＴＴＳは、セレクタ１０４及びデマルチプレクサ１０６を介して、デコード用処理部１０７及びデコード部１０８、及びＴＴＳ処理部１０５に転送される。ＴＴＳ処理部１０５からリアルタイムストリームとしてのＴＳが出力されている時、デコード部１０８からは、該ＴＳに対応する映像及び音声データが出力される。従って、ネットワークを介して受信したコンテンツを外部機器に記録する際、ユーザはどのようなコンテンツが記録されているかを表示部等により確認できる。つまり本発明より装置の使い勝手が向上する。
【００４０】
次に、図３を参照してデマルチプレクサ１０６の構成を説明する。
【００４１】
デマルチプレクサ１０６は、ＴＴＳパケットを一時的に記録するためのバッファ１０６ａ、バッファ１０６ａに対する書き込みを制御するライト制御部１０６ｂ、バッファ１０６ａからの読出しを制御するリード制御部１０６を含む。以下、ネットワーク３上の記録メディアからＴＴＳパケットを読み込み、該ＴＴＳパケットを再生しながら外部機器へ記録するときの動作を説明する。
【００４２】
ライト制御部１０６はバッファ１０６ａがオーバーフローまたはエンプティにならないように、再生制御部１０２にデータ要求をしながら、ＴＴＳパケットをバッファ１０６ａに書き込む。リード制御部１０６ｃはデコード用処理部１０７からのデータ要求に従って、バッファ１０６ａに記録されたＴＴＳパケットを読み出し、該ＴＴＳパケットをデコード用処理部１０７へ転送する。またリード制御部１０６ｃはＴＴＳ処理部１０５からのデータ要求に従って、バッファ１０６ａに記録されたＴＴＳパケットを読み出し、該ＴＴＳパケットをＴＴＳ処理部１０５へ転送する。
【００４３】
尚、地上波デジタルチューナ１１からのＴＳパケットのように、入力されるパケットがＴＳパケットの場合、デマルチプレクサ１０６は前述したように該ＴＳパケットをそのままデコード用処理部１０７、ＴＴＳ処理部１０５へ転送する。
【００４４】
次に、図４を参照してＴＴＳ処理部１０５の構成を説明する。
【００４５】
ＴＴＳ処理部１０５は図示のように、カウンタ２０２及び出力制御部２０３等から構成されている。カウンタ２０２は、信号処理部１３内に設けられたクロック発生器からのクロック信号に同期して、カウント動作を実行する。出力制御部２０３は、ＴＴＳパケットを入力し、該ＴＴＳパケットのタイムスタンプの値が、カウンタ２０２のカウント値に一致したとき、該ＴＴＳパケット内のＴＳパケットを出力する。これにより、ＴＳパケット群はリアルタイムにＩＥＥＥ１３９４インターフェース部１４に転送される。尚、入力されるパケットがＴＳパケットの場合、ＴＴＳ処理部１０５は該ＴＳパケットをそのままＩＥＥＥ１３９４インターフェース部１４へ転送する。
【００４６】
次に、図５を参照して、記録制御部１０３の構成を説明する。
【００４７】
記録制御部１０３は、入力制御部３０１、タイムスタンプ生成部３０２、カウンタ３０３、及びバッファ３０４などから構成される。この記録制御部１０３は、セレクタ１０４から出力されるＴＳを受信する。このＴＳは、図６に示すように、ＴＳパケット群と同期信号とから構成されている。同期信号は、ＴＳパケット間の区切りを示す。ＴＳパケット群は入力制御部３０１に入力され、また同期信号はタイムスタンプ生成部３０２に入力される。
【００４８】
カウンタ３０３は、上述のクロック信号に同期してカウント動作を実行して、３２ｂｉｔのカウンタ値を時間情報として出力する。タイムスタンプ生成部３０２は、同期信号の立ち上りエッジを受信した時、その時の３２ｂｉｔのカウンタ値（時間情報）を入力制御部３０１に出力する。
【００４９】
入力制御部３０１は、受信したＴＳパケットの先頭にタイムスタンプ生成部３０２からの３２ｂｉｔのカウンタ値（時間情報）を付加して、ＴＴＳパケットを生成する。生成された各ＴＴＳパケットはバッファ３０４を介してネットワークインターフェース部１０１に送られる。
【００５０】
次に、図７のフローチャートを参照して、ネットワーク３から受信したストリームを再生しながら外部機器にリアルタイムに伝送する動作を説明する。
【００５１】
再生制御部１０２はネットワークインターフェース部１０１及びネットワーク３を介して、サーバコンピュータ２から伝送されるＴＴＳを受信する（ステップＳ１０１）。受信されたＴＴＳはセレクタ１０４に送られる。セレクタ１０４は入力ポートＩＮ４に入力されたＴＴＳをＯＵＴ３から出力する（ステップＳ１０２）。デマルチプレクサ１０６は、入力されたＴＴＳをバッファリングしながら、ＴＴＳ処理部１０５に転送すると共にデコード用処理部１０７に転送する（ステップＳ１０３）。
【００５２】
ＴＴＳ処理部１０５は、各ＴＴＳパケットのタイムスタンプに基づいて、受信されたＴＴＳからリアルタイムストリームを生成する。生成されたリアルタイムストリームはＩＥＥＥ１３９４インターフェース部１４に送られる（ステップＳ１０４）このリアルタイムストリームはＴＳである。
【００５３】
デコード用処理部１０７は、入力されたＴＴＳに対して分離処理を行い、ビデオＴＴＳとオーディオＴＴＳを別経路でデコード部１０８へ送る（ステップＳ１０５）。デコード部１０８は、入力されたビデオＴＴＳとオーディオＴＴＳをそれぞれデコードする（ステップＳ１０６）。
【００５４】
次に本発明の第２実施形態を説明する。
【００５５】
図８は第２実施形態に係るデジタル放送受信装置１の構成を示すブロック図である。第１実施形態と同一の構成要素には同一の参照符号が付され、説明は割愛される。
【００５６】
本実施形態では、ネットワーク３上の記録メディア２１からコンテンツを読出し、外部機器に記録する場合、再生制御部１０２ａはネットワーク３における２つの通信チャンネルＣＨ１、ＣＨ２を介して同一コンテンツを読出し、２つの出力ポートから別々に出力する。すなわち、ネットワークインターフェース部１０１は、同一コンテンツのＴＴＳをネットワーク３上の記録メディア２１から時分割で受信し、互いに異なる信号線を介して再生制御部１０２ａに転送する。
【００５７】
チャンネルＣＨ１を介して転送されたＴＴＳは、再生制御部１０２ａからセレクタ１０４ａの入力ポートＩＮ４に出力され、チャンネルＣＨ２を介して転送されたＴＴＳは、再生制御部１０２ａからセレクタ１０４ａの入力ポートＩＮ５に出力される。
【００５８】
セレクタ１０４ａは、入力ポートＩＮ４に入力されたＴＴＳを出力ポートＯＵＴ２から出力し、入力ポートＩＮ５に入力されたＴＴＳを出力ポートＯＵＴ３から出力する。出力ポートＯＵＴ２はデコード用処理部１０７に接続され、出力ポートＯＵＴ３はＴＴＳ処理部１０５ａに接続される。
【００５９】
デコード用処理部１０７は、入力されたＴＴＳをビデオＴＴＳ及びオーディオＴＴＳとに分離する処理を実行する。デコード部１０８は入力されたビデオＴＴＳ及びオーディオＴＴＳをそれぞれデコードし、デコードされたビデオデータ及びオーディオデータは出力端子１１６を介して表示装置及びスピーカへそれぞれ出力される。
【００６０】
ＴＴＳ処理部１０５は、入力された各ＴＴＳパケットのタイムスタンプに基づいて、入力されたＴＴＳからリアルタイムストリーム（ＴＳ）を生成する。生成されたリアルタイムストリームは、ＩＥＥＥ１３９４インターフェース部１４を介して外部機器へ転送される。
【００６１】
このように本発明の第２実施形態に係るデジタル放送受信装置によれば、ネットワーク上の互いに異なる通信チャンネルにより同一コンテンツ（ＴＴＳ）が入力される。一方のコンテンツはＴＴＳ処理部１０５ａによりリアルタイムストリームに変換され、ＩＥＥＥ１３９４インターフェース部１４を介して外部機器に送信される。他方のコンテンツはデコード用処理部１０７を介してデコード部１０８に送られてデコードされ、表示部及びスピーカに供給される。従って、第１実施形態で説明したように、ＴＴＳのネットワーク上の転送レート、ＴＴＳ処理部１０５ａ及びデコード部１０８の処理レートの違いを吸収するためのバッファ１０６ａを設ける必要がない。
【００６２】
以上のように本発明によれば、ネットワーク３から受信したストリームを外部機器にリアルタイムに伝送して記録しながら、記録されているコンテンツをリアルタイムに再生して、その内容を確認することができる。
【００６３】
本発明は上記実施形態そのままに限定されたものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかを削除してもよい。さらに、異なる実施形態に構成要素を適宜組み合わせても良い。
【図面の簡単な説明】
【００６４】
【図１】本発明の第１実施形態の係る信号処理装置のシステム構成を示すブロック図。
【図２】同実施形態の信号処理装置で用いられるタイムスタンプ付トランスポートストリームパケットの構成の例を示す図。
【図３】同実施形態の信号処理装置に設けられたデマルチプレクサ１０６の構成を示すブロック図。
【図４】同実施形態の信号処理装置に設けられたＴＴＳ処理部の構成を示すブロック図。
【図５】同実施形態の信号処理装置に設けられた記録制御部の構成を示すブロック図。
【図６】同実施形態の信号処理装置で用いられるトランスポートストリームパケットと同期信号との関係を説明するための図。
【図７】同実施形態の信号処理装置によって実行される動作を説明するフローチャート。
【図８】本発明の第２実施形態の係る信号処理装置のシステム構成を示すブロック図。
【符号の説明】
【００６５】
１…デジタル信号処理装置、２…サーバコンピュータ、２１…蓄積メディア、３…ネットワーク、１１…地上波デジタルチューナ、１２…ＢＳ／ＣＳチューナ、１３…信号処理装置、１４…ＩＥＥＥ１３９４インターフェース部、１０１…ネットワークインターフェース部、１０２…再生制御部、１０３…記録制御部、１０４…入力制御部（セレクタ）、１０５…ＴＴＳ処理部、１０６…デマルチプレクサ、１０７…デコード処理部、１０６ａ，２０１、３０４…バッファ、２０２、３０３…カウンタ、２０３…出力制御部、３０１…入力制御部、３０２…タイムスタンプ生成部。
【図１】
2006246245.tif 000003
【図２】
2006246245.tif 000004
【図３】
2006246245.tif 000005
【図４】
2006246245.tif 000006
【図５】
2006246245.tif 000007
【図６】
2006246245.tif 000008
【図７】
2006246245.tif 000009
【図８】
2006246245.tif 000010
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
圧縮符号化されたデータを含むストリームであって、各々にタイムスタンプが付加されたパケット群から構成されるタイムスタンプ付ストリームをネットワークを介して受信し、該タイムスタンプ付ストリームを提供する受信手段と、
前記タイムスタンプ付ストリーム内のパケット群の各々に付加されたタイムスタンプに基づいて、該タイムスタンプ付ストリームからリアルタイムストリームを生成するリアルタイムストリーム生成手段と、
前記タイムスタンプ付ストリームをデコードした映像データ及び音声データをリアルタイムで出力するデコーダと、
前記受信手段から提供される前記タイムスタンプ付ストリームを一時的に記録するバッファを有し、該バッファに記録された前記タイムスタンプ付ストリームを、前記リアルタイムストリーム生成手段に提供すると共に、前記デコーダに提供するデマルチプレクサと、
を具備することを特徴とする信号処理装置。
【請求項２】
デジタル放送を受信し、選択された放送番組のリアルタイムストリームを提供する放送受信部と、
前記放送受信部から提供される前記リアルタイムストリームを入力する第１入力ポートと、前記受信手段から提供される前記タイムスタンプ付ストリームを入力する第２入力ポートと、前記第１入力ポートにて入力された前記リアルタイムストリーム及び前記第２入力ポートにて入力された前記タイムスタンプ付ストリームのうち、選択された一方のストリームを前記デマルチプレクサに出力する出力ポートとを有するセレクタと、
を更に具備することを特徴とする請求項１記載の信号所処理装置。
【請求項３】
前記リアルタイムストリーム生成手段により生成されたリアルタイムストリームを外部機器へ転送し、該外部機器からリアルタイムストリームを受信するリアルタイムストリームインターフェース手段を更に具備することを特徴とする請求項１記載の信号処理装置。
【請求項４】
リアルタイムストリーム生成手段により生成されたリアルタイムストリームを外部機器へ転送し、該外部機器から第２リアルタイムストリームを受信するリアルタイムストリームインターフェース手段を更に具備し、
前記セレクタは前記リアルタイムストリームインターフェース手段から提供される前記外部機器からの第２リアルタイムストリームを入力する第３入力ポート、及び前記第１及び第３入力ポートのうち選択された入力ポートに入力されたリアルタイムストリームを出力する第２出力ポートを具備し、
前記セレクタの第２出力ポートから出力される前記リアルタイムストリームに含まれるパケット群の各々にタイムスタンプを付加するタイムスタンプ付加手段と、
前記タイムスタンプ付加手段によってタイムスタンプが付加されたパケット群を前記ネットワークを介して外部に伝送する手段とを更に具備することを特徴とする請求項２記載の信号処理装置。
【請求項５】
圧縮符号化されたデータを含むストリームであって、各々にタイムスタンプが付加されたパケット群から構成されるタイムスタンプ付ストリームの形式で、通信チャンネルを有するネットワーク上の記録メディアに記録されたコンテンツを該ネットワークを介して受信し、該タイムスタンプ付ストリームを提供するネットワークインターフェース手段と、
前記ネットワークインターフェース手段を用いて前記ネットワーク上の記録メディアに記録された１つのコンテンツを、前記ネットワークにおける２つの通信チャンネルを介して読出し、該コンテンツを第１及び第２出力部から前記タイムスタンプ付ストリームとしてそれぞれ提供する読出し制御手段と、
前記読出し制御手段から提供される前記コンテンツのタイムスタンプ付ストリームを前記第１出力部から受信し、この受信した該ストリーム内のパケット群の各々に付加されたタイムスタンプに基づいて該タイムスタンプ付ストリームからリアルタイムストリームを生成するリアルタイムストリーム生成手段と、
前記読出し制御手段から提供される前記コンテンツのタイムスタンプ付ストリームを前記第２出力部から受信し、この受信した該ストリームをデコードした映像データ及び音声データをリアルタイムで出力するデコーダと、
を具備することを特徴とする信号処理装置。
【請求項６】
デジタル放送を受信し、選択された放送番組のリアルタイムストリームを提供する放送受信部と、
前記放送受信部から提供される前記リアルタイムストリームを入力する第１入力ポートと、前記読出し手段の第１及び第２出力ポートから提供される前記タイムスタンプ付ストリームをそれぞれ入力する第２及び第３入力ポートと、前記第１乃至第３入力ポートのうち、選択された入力ポートに入力されたストリームを前記リアルタイムストリーム生成手段に出力する第１出力ポートと、前記第１乃至第３入力ポートのうちの１入力ポートに入力されたストリームを前記デコーダに選択的に出力する第２出力ポートとを具備するセレクタと、
を更に具備することを特徴とする請求項５記載の信号所処理装置。
【請求項７】
前記リアルタイムストリーム生成手段により生成されたリアルタイムストリームを外部機器へ転送し、該外部機器からリアルタイムストリームを受信するリアルタイムストリームインターフェース手段を更に具備することを特徴とする請求項５記載の信号処理装置。
【請求項８】
前記リアルタイムストリーム生成手段により生成されたリアルタイムストリームを外部機器へ転送し、該外部機器から第２リアルタイムストリームを受信するリアルタイムストリームインターフェース手段を更に具備し、
前記セレクタは前記リアルタイムストリームインターフェース手段から提供される、前記外部機器からの前記第２リアルタイムストリームを入力する第４入力ポート、及び前記第１及び第４入力ポートのうち選択された入力ポートに入力されたリアルタイムストリームを出力する第３出力ポートを有し、
前記セレクタの第３出力ポートから出力される前記リアルタイムストリームに含まれるパケット群の各々にタイムスタンプを付加し、前記ネットワークインターフェース手段を用いて前記ネットワーク上の記録メディアに転送するタイムスタンプ付加手段とを更に具備することを特徴とする請求項６記載の信号処理装置。
【請求項９】
圧縮符号化されたデータを含むストリームであって、各々にタイムスタンプが付加されたパケット群から構成されるタイムスタンプ付ストリームをネットワークを介して受信し、該タイムスタンプ付ストリームを提供するステップと、
前記タイムスタンプ付ストリームをバッファに一時的に記録するステップと、
前記バッファに記録された前記タイムスタンプ付ストリームを読出し、該タイムスタンプ付ストリーム内のパケット群の各々に付加されたタイムスタンプに基づいて、該タイムスタンプ付ストリームからリアルタイムストリームを生成するステップと、
前記バッファに記録された前記タイムスタンプ付ストリームを読出し、該タイムスタンプ付ストリームをデコードした映像データ及び音声データをリアルタイムで出力するステップと、
を具備することを特徴とするストリーム処理方法。
【手続補正２】
【補正対象書類名】明細書
【補正対象項目名】０００１
【補正方法】変更
【補正の内容】
【０００１】
本発明は、デジタル放送受信機のような信号処理装置及び同装置で用いられるストリーム処理方法に関する。
【手続補正３】
【補正対象書類名】明細書
【補正対象項目名】０００５
【補正方法】変更
【補正の内容】
【０００５】
デジタル放送受信機においては、放送信号はチューナによって受信及び復調され、これによって放送信号からトランスポートストリームが抽出される。トランスポートストリームを構成するトランスストリームパケット群はリアルタイムにデジタル放送受信機内のデコーダに送られ、デコーダによってデコードされる。通常、デコーダは、個々のパケットの受信タイミングに応じてそのデコード動作速度が規定されるように設計されている。トランスポートストリームパケット群の各パケットはその再生タイミングに対応するタイミングでリアルタイムにデコーダに送られるので、デコーダは、トランスポートストリームを正常にデコード及び再生することができる。
【手続補正４】
【補正対象書類名】明細書
【補正対象項目名】０００６
【補正方法】変更
【補正の内容】
【０００６】
ところで、最近では、複数の家電機器同士を相互に接続可能なホームネットワークシステムの実現が望まれている。ホームネットワークシステムで使用されるデジタル放送受信機においては、放送番組データのようにリアルタイムに伝送されるトランスポートストリームのみならず、蓄積メディアからネットワークを介して任意の速度で転送されるトランスポートストリームをデコード及び再生する機能も必要とされる。
【特許文献１】特開２０００−３４１２３４公報
【手続補正５】
【補正対象書類名】明細書
【補正対象項目名】０００７
【補正方法】変更
【補正の内容】
【０００７】
しかし、蓄積メディアから読み出されるトランスポートストリームは、そのトランスポートストリームの本来の伝送レートよりも高速にデジタル放送受信機に伝送される。このため、蓄積メディアからネットワークを介して伝送されるトランスポートストリームをそのままデコーダに入力すると、そのトランスポートストリームが異常に早い速度で再生されてしまうなどの不具合が発生する。よって、デコード対象のストリームの種類（リアルタイムストリーム／非リアルタイムストリーム）に応じて、デコーダの動作制御方法を切り替えるという特殊なデコード制御を実行することが必要となる。
【手続補正６】
【補正対象書類名】明細書
【補正対象項目名】０００８
【補正方法】変更
【補正の内容】
【０００８】
また、ホームネットワークシステムで使用されるデジタル放送受信機においては、ネットワークを介して受信したトランスポートストリームを例えばＩＥＥＥ１３９４規格のデジタルＶＣＲ(Video Cassette Recorder)のような外部機器に記録する機能も要求されている。この場合、外部機器に対してはトランスポートストリームをリアルタイムに伝送することが必要となる。
【手続補正７】
【補正対象書類名】明細書
【補正対象項目名】００１０
【補正方法】変更
【補正の内容】
【００１０】
本発明は上述の事情を考慮してなされたものであり、ネットワークから受信したストリームを外部機器にリアルタイムに伝送して記録し、同時に該ストリームを表示装置等に再生表示できる信号処理装置及びストリーム処理方法を提供することを目的とする。
【手続補正８】
【補正対象書類名】明細書
【補正対象項目名】００１２
【補正方法】変更
【補正の内容】
【００１２】
本発明によれば、ネットワークから受信したストリームを外部機器にリアルタイムに伝送して記録し、同時に該ストリームを表示装置等に再生表示できる信号処理装置及びストリーム処理方法を提供することが可能となる。
【手続補正９】
【補正対象書類名】明細書
【補正対象項目名】００１６
【補正方法】変更
【補正の内容】
【００１６】
ネットワーク３には、サーバコンピュータ２が接続されている。このサーバコンピュータ２の蓄積メディア２１には、オーディオ・ビデオ（ＡＶ）コンテンツが蓄積されている。デジタル放送受信装置１は、ネットワーク３を介して蓄積メディア２１に格納されているＡＶコンテンツを受信し、この受信したＡＶコンテンツをデコード及び再生することができる。
【手続補正１０】
【補正対象書類名】明細書
【補正対象項目名】００１８
【補正方法】変更
【補正の内容】
【００１８】
地上波デジタルチューナ１１は、地上波デジタル放送の放送番組データを受信する放送受信部である。地上波デジタル放送の放送番組データはトランスポートストリーム（ＴＳ）から構成されている。ＴＳを構成するトランスポートストリームパケット（ＴＳパケット）群は、デジタル放送信号によって放送局からリアルタイムに伝送される。地上波デジタルチューナ１１は、デジタル放送信号を受信し、このデジタル放送信号から、あるチャンネルの放送番組データに対応するＴＳを取り出す。ＴＳは圧縮符号化された放送番組データを含む。このＴＳはリアルタイムストリームである。ＴＳを構成するＴＳパケット群は、放送局から送信されるタイミングと同じタイミングで、地上波デジタルチューナ１１から信号処理部１３にリアルタイムに送られる。
【手続補正１１】
【補正対象書類名】明細書
【補正対象項目名】００１９
【補正方法】変更
【補正の内容】
【００１９】
ＢＳ／ＣＳチューナ１２は、ＢＳ／ＣＳ放送の放送番組データを受信する放送受信部である。ＢＳ／ＣＳ放送の放送番組データも地上波デジタル放送と同様にＴＳから構成されている。このＴＳを構成するトランスポートストリームパケット（ＴＳパケット）群は、デジタル放送信号によって放送局からリアルタイムに伝送される。ＢＳ／ＣＳチューナ１２はデジタル放送信号を受信し、このデジタル放送信号から、所望チャンネルの放送番組データに対応するＴＳを取り出す。ＴＳは圧縮符号化された放送番組データを含む。このＴＳはリアルタイムストリームである。ＴＳを構成するＴＳパケット群は、放送局から送信されるタイミングと同じタイミングで、ＢＳ／ＣＳチューナ１２から信号処理部１３にリアルタイムに送られる。
【手続補正１２】
【補正対象書類名】明細書
【補正対象項目名】００２３
【補正方法】変更
【補正の内容】
【００２３】
ＴＴＳパケットの構造を図２に示す。ＴＴＳパケットは、１８８バイトのＴＳパケットと、このＴＳパケットの先頭に付加された４バイトのタイムスタンプ（時間情報）とから構成されている。各ＴＳパケットに付加されたタイムスタンプは、該ＴＳパケットのデコーダへの相対的な入力時刻を示す時間情報として使用される。
【手続補正１３】
【補正対象書類名】明細書
【補正対象項目名】００３０
【補正方法】変更
【補正の内容】
【００３０】
またセレクタ１０４は、入力ポートＩＮ１〜ＩＮ４のそれぞれに入力されるＴＳまたはＴＴＳの中から再生または記録対象のストリームを選択し、この選択したストリームを出力ポートＯＵＴ２から出力する。出力ポートＯＵＴ２から出力されるストリームは、デマルチプレクサ（Ｄｅｍｕｘ）１０６に送られる。
【手続補正１４】
【補正対象書類名】明細書
【補正対象項目名】００３４
【補正方法】変更
【補正の内容】
【００３４】
またセレクタ１０４から入力されるストリームがＴＴＳであって、該ＴＴＳを外部機器に記録する場合、デマルチプレクサ１０６はＴＴＳのパケットをバッファ１０６ａに一時的に記録しながら、上記したようにデコード用処理部１０７に供給すると共に、ＴＴＳ処理部１０５からの要求に応じて、バッファ１０６ａに記録したパケットをＴＴＳ処理部１０５に転送する。デマルチプレクサ１０６のバッファ１０６ａは、ネットワーク３から受信されるＴＴＳの転送レートと、ＴＴＳ処理部１０５ａ及びデコード用処理部１０７の処理レートの違いを吸収するために設けられている。
【手続補正１５】
【補正対象書類名】明細書
【補正対象項目名】００３８
【補正方法】変更
【補正の内容】
【００３８】
デコード部１０８は、ビデオデコーダ及びオーディオデコーダ（共に図示されず）を有し、デコード用処理部１０７から入力されたビデオデータストリーム及びオーディオデータストリームをそれぞれデコードする。このデコード部１０８は、個々のパケット（ＴＳまたはＴＴＳパケット）を、デコード部１０８が有するクロックカウンタの値に基づいてデコードする。このデコード処理はパケットに付加されているタイムスタンプとは無関係なタイミングで行われる。デコード部１０８にてデコードされたビデオデータ及びオーディオデータはＤ／Ａ変換及び増幅などされた後、ビデオデータは表示部、オーディオデータはスピーカへそれぞれ出力される。
【手続補正１６】
【補正対象書類名】明細書
【補正対象項目名】００３９
【補正方法】変更
【補正の内容】
【００３９】
このデジタル放送受信装置１においては、ネットワーク３から再生処理部１０２に伝送されたＴＴＳは、セレクタ１０４及びデマルチプレクサ１０６を介して、デコード用処理部１０７、デコード部１０８及びＴＴＳ処理部１０５に転送される。ＴＴＳ処理部１０５からリアルタイムストリームとしてのＴＳが出力されているとき、デコード部１０８からは、該ＴＳに対応する映像及び音声データが出力される。従って、ネットワークを介して受信したコンテンツを外部機器に記録する際、ユーザはどのようなコンテンツが記録されているかを表示部等により確認できる。つまり本発明より装置の使い勝手が向上する。
【手続補正１７】
【補正対象書類名】明細書
【補正対象項目名】００４１
【補正方法】変更
【補正の内容】
【００４１】
デマルチプレクサ１０６は、ＴＴＳパケットを一時的に記録するためのバッファ１０６ａ、バッファ１０６ａに対する書き込みを制御するライト制御部１０６ｂ、バッファ１０６ａからの読出しを制御するリード制御部１０６を含む。
以下、ネットワーク３上の記録メディアからＴＴＳパケットを読み込み、該ＴＴＳパケットを再生しながら外部機器へ記録するときの動作を説明する。
【手続補正１８】
【補正対象書類名】明細書
【補正対象項目名】００５１
【補正方法】変更
【補正の内容】
【００５１】
再生制御部１０２はネットワークインターフェース部１０１及びネットワーク３を介して、サーバコンピュータ２から伝送されるＴＴＳを受信する（ステップＳ１０１）。この受信されたＴＴＳはセレクタ１０４に送られる。セレクタ１０４は入力ポートＩＮ４に入力されたＴＴＳをＯＵＴ２から出力する（ステップＳ１０２）。デマルチプレクサ１０６は、セレクタ１０４から入力されたＴＴＳをバッファリングしながら、ＴＴＳ処理部１０５に転送すると共にデコード用処理部１０７に転送する（ステップＳ１０３）。
【手続補正１９】
【補正対象書類名】明細書
【補正対象項目名】００５９
【補正方法】変更
【補正の内容】
【００５９】
デコード用処理部１０７は、入力されたＴＴＳをビデオＴＴＳとオーディオＴＴＳとに分離する処理を実行する。デコード部１０８は入力されたビデオＴＴＳ及びオーディオＴＴＳをそれぞれデコードし、このデコードしたビデオデータ及びオーディオデータを出力端子１１６を介して表示装置及びスピーカへそれぞれ出力する。
【手続補正２０】
【補正対象書類名】明細書
【補正対象項目名】００６０
【補正方法】変更
【補正の内容】
【００６０】
ＴＴＳ処理部１０５は、入力された各ＴＴＳパケットのタイムスタンプに基づいて、入力されたＴＴＳからリアルタイムストリーム（ＴＳ）を生成する。この生成されたリアルタイムストリームは、ＩＥＥＥ１３９４インターフェース部１４を介して外部機器へ転送される。